(57)【要約】【課題】  遠赤外線効果、マイナスイオン効果及び、消臭効果において安定した効果を維持し、使用後のリサイクル性の高い低コストの健康消臭マットを提供する。【解決手段】  ブライオゾーア化石粉末が有する微量のマイナスイオン放出効果、木炭に匹敵する遠赤外線放出効果、そして、多くの構造化された元素群の触媒効果を持ち、あるいは、他の物質を取り入れ変化し易いキレート効果によって臭気除去が行われる特徴を生かし、また、ブライオゾーア化石の一番の効果である土壌改良剤としての再利用を可能にし、かつ、粉末加工の簡便性を生かすことによって、従来に無いリサイクル性の高い低コストの健康消臭マットを提供する。【選択図】    なし。【特許請求の範囲】
【請求項１】
採掘したブライオゾーア化石塊を各種粒度に乾燥粉体加工したものとマイナスイオン調整剤（トルマリン、松鉱石等）を配合調整し、布又は紙に練り込んだ健康消臭マット。
【請求項２】
採掘したブライオゾーア化石塊を各種粒度に乾燥粉体加工したものとマイナスイオン調整剤（トルマリン、松鉱石等）を配合調整し、布又は紙で挟み込み粉体が可動する健康消臭マット
【請求項３】
健康消臭マットにおいて、ブライオゾーア化石の乾燥粉末を含有することを特徴とするマット。
【発明の詳細な説明】
【発明の詳細な説明】
【技術分野】
【０００１】  本発明は、寝たきり老人の床ずれや長時間の同一姿勢による血行障害の改善やそれに付随する汗疹防止と体臭除去を目的とした健康消臭マットに関する。
【背景技術】
【０００２】  遠赤外線効果やマイナスイオン効果によって手足の冷え防止と血行障害の緩和を主効果にした製品が数多くあるが、その効果を引き出すがため吸汗性セラミックスと遠赤外線セラミックスの組み合わせ、銅イオンやキトサンの含浸加工など、付加価値とともに加工コストも高価となり健康器具としては、普及しづらい製品価格となっている。また、包装劣化とともに避けられない廃棄処理にあたっては時流と逆行した製品が大半を占めている現状である。
【発明が解決しようとする課題】
【０００３】  従来の遠赤外線消臭マットでは、その資材自体が高価であり、かつ加工にコストのかかる資材を利用し、また、遠赤外線効果とマイナスイオン効果に傾向するがゆえに、消臭効果に対しては安定した効果を維持できずにいた。しかも使用後の廃棄処理にあたっても再利用性の低い資材を利用していた。
【課題を解決する手段】
【０００４】  本発明は、低温高圧型で生成されたブライオゾーア化石の持つ特徴を活かし、安定した遠赤外線効果と消臭効果を引き出し、それにマイナスイオン調整剤（トルマリン、松鉱石等）を配合調整することで天然資源を自然のまま利用する、低コストで再利用性の高い健康消臭マットを提供することである。
【０００５】  健康消臭マットの包装には和紙、または、不織布等を使用し包装劣化後は燃える一般ゴミとして処分できるように加工し、効能を引き出す粉体のブライオゾーア化石やマイナスイオン調整剤（トルマリン、松鉱石等）は、その一般的な利用方法である土壌改良剤として畑やプランタンの園芸土に混ぜて再利用する。
【０００６】  ブライオゾーア化石は、天然に存在し自然界に無害であることから取り扱いが簡便であり、当然のことながら自然界への影響は無く、安全性においては応用製品の医薬部外品利用や家畜飼料利用等で実証済みである。
【０００７】  ブライオゾーア化石は触手動物の一網、または、擬軟体動物の一網の独立した一門とみなされ、鮮虫類あるいは鮮苔虫類ともいう。一般的な貝化石とはまったく異質のものであり、ブライオゾーア化石の大きな特徴として、その構造はミクロポーラス構造であり、指で容易に剥離できる状態であるため粉体加工の簡便性が挙げられる。ブライオゾーア化石の成分を表１及び表２に示す。
【０００８】
【表１】
2005288118.tif 000002
【０００９】
【表２】
2005288118.tif 000003
【００１０】  ブライオゾーア化石は自然に形成された多孔体であるため、表面積の大きな無機材料（メソポーラスシリカ、活性炭等）の表面特性及び細孔構造などから作用する同様の効果がある。また、ブライオゾーア化石の構造は、低温高圧型で生成されたことにより、多くの元素群（Ｃ，Ｃａ，Ｓｉ，Ａｌ，Ｆｅ，Ｏ等）をＣａＣＯ３，ＳｉＯ２，Ｆｅ２Ｏ３，Ａｌ２Ｏ３等の構造に再配置され、構造化された元素群の触媒効果を持ち、あるいは錯体と呼ばれ、他の物質を取り入れ変化し易いキレート状態となっている。
【００１１】  この為、気体吸着及び重金属類の吸着に効果を発揮する。特にカドミウム吸着量２３．５〜２７．０ｍｇ／ｇまたは水銀吸着量２０．０〜２４．０ｍｇ／ｇといった性能は、単なるイオン交換作用ではなく不溶物質として安定した性状で固定化する特性を持っている。これは溶液が炭酸カルシウムの作用によって方解石化（ＣａＣＯ３水和物）し、カドミウムを取り入れ固溶体として再結晶させているからである。
【００１２】  熱帯、亜熱帯の地表は、強い太陽熱、地下水、微生物の働きで化学的風化作用を著しく受け、Ｃａ，Ｍｇ，Ｋ等のアルカリ、アルカリ土類金属のイオンが溶脱し、Ａｌ，Ｆｅ，Ｔｉ等の溶脱に強いイオンのみ残る。これらのイオンは地下水中の水酸化物イオンと結合し、ギブサイト（水酸化アルミニウム）を作ることが知られているが、ブライオゾーアが化石となるまでには、これに類似した過程があったと推察される。
【００１３】  また、ブライオゾーア化石に含まれる生体由来の腐植酸であるフミン酸等の不溶性有機物は、ギブサイトと類似した重金属吸着特性を有する。さらに、ギブサイトがフミン酸と共存する場合には、重金属はいずれにも吸着されることが文献によって知られている。
【００１４】ブライオゾーア化石による遠赤外線放出試験を試験基準となる黒体との比較試験を行った結果、極めて良好な結果を得ることができた。黒体を１００％とするとブライオゾーア化石による遠赤外線放出量は９１．３６％に相当し、木炭類に匹敵する数値を得ることができた。
【００１５】
【表３】
2005288118.tif 000004
【００１６】
【表４】
2005288118.tif 000005
【００１７】
【表５】
2005288118.tif 000006
【００１８】  ブライオゾーア化石は、ミクロポーラス構造であり、キレート状態にある。表面吸着や可溶性の石灰を含む等、いくつかの反応しやすい状態にあり、空気中の水分等に接触することによって、あるいは摩擦や衝撃や温度等、エネルギーが補給されることによってマイナスイオンを発生する特徴を持っている。
【００１９】  また、ブライオゾーア化石には閉じた空間での消臭効果は活性炭同等の消臭力を持っていることが認められている。実験では、京極町終末処理場の汚泥に混入、養鶏場では鶏糞に混入して、その消臭効果を確認した。この効果は多孔体であるため、細孔構造の気体吸着効果とイオン交換による臭気物質吸着効果、あるいは物性を変化させるキレート効果によるものと考えられる。
【００２０】
【表６】
2005288118.tif 000007
【００２１】
【表７】
2005288118.tif 000008
【００２２】  北海道立中央農業試験場の分析によって、水銀、砒素、カドミウム、鉛は検出されていないことが確認されている。
【００２３】
【表８】
2005288118.tif 000009
【発明を実施するための最良の形態】
【００２４】  発明で一番重要なことは、ブライオゾーア化石を利用することで、天然無害の国内資源であるブライオゾーア化石を主剤とすることであり、その加工手順は、▲１▼露天掘りによる採掘、▲２▼乾燥炉にて１００℃以上３００℃以下で水分調整、▲３▼この時の乾燥工程でブライオゾーア化石の原単位である約１ｍｍの粉体化が完了、▲４▼これを１ｍｍメッシュのフィルターと粉塵用のバキュームで選分けし粉体加工が完了する。【００２５】  また、この実施形態におけるトップ粒度１ｍｍ以下のブライオゾーア化石にマイナスイオン調整剤（トルマリン、松鉱石等）を配合調整し、布又は紙に練り込んだもの、若しくは、布又は紙で挟み込み粉体が可動するように加工したものが健康消臭マットである。【００２６】  ブライオゾーア化石粉末が有する微量のマイナスイオン放出効果、木炭に匹敵する遠赤外線放出効果、そして多くの元素群（Ｃ，Ｃａ，Ｓｉ，Ａｌ，Ｆｅ，Ｏ等）をＣａＣＯ３，ＳｉＯ２，Ｆｅ２Ｏ３，Ａｌ２Ｏ３等の構造に再配置され、構造化された元素群の触媒効果を持ち、あるいは錯体と呼ばれ、他の物質を取り入れ変化し易いキレート効果によって汗や体臭の吸着抑制をするものである。
【実施例】  次に請求項１および請求項２による健康消臭マットを実際に使用して実験を行った結果を示す。【００２７】  健康消臭マットサンプルを１００枚製作し、定期的に薬剤の提供を受けている老人、または、寝たきりの老人を対象に通常使用しているベッド及び布団の下にサンプルマットを敷いてもらい３ヶ月間の聞き取り調査を行った。【００２８】  結果、ほとんどの体験者が手足の冷えに対する温熱効果を体感し、また、薬剤投与による体臭に関しても本人、及び介護に当あっている人間もその体臭の軽減を感じていた。特に温熱効果に関しては遠赤外線による発汗作用が十分に得ることができ、その汗の吸収作用も十分に確認できた。そのため発汗による体臭は完全にマットによって吸収され実用性を十分確認できる結果となった。【００２９】  ［図１］【００３０】  ［図２］
【発明の効果】
【００３１】  ブライオゾーア化石粉末を主剤として利用することによって、安定した遠赤外線効果と消臭効果を引き出し、それにマイナスイオン調整剤（トルマリン、松鉱石等）を配合調整することで天然資源を自然のまま利用する、低コストで再利用性の高い健康消臭マットを提供することができる。その効果の持続性においても３ヶ月以上安定した効果を維持し、包装次第ではより長期間の使用に対応がきき、単位使用日数当りコストとしては非常に低コストの健康消臭マットが提供できるものである。したがって、従来の遠赤外線消臭マットと比較して経済効率とリサイクル性の両面で効果があるものである。
【図面の簡単な説明】
【表１】
北海道立中央農業試験場によるブライオゾーア化石の成分表
【表２】
株式会社北海道分析センターによるブライオゾーア化石の成分表
【表３】
基準となる黒体の遠赤外線放出量
【表４】
ブライオゾーア化石の遠赤外線放出量
【表５】
黒体とブライオゾーア化石の遠赤外線放出量の比較
【表６】
京極町終末処理場における汚泥の堆肥化および消臭試験
【表７】
愛鶏園における鶏糞の消臭試験
【表８】
北海道立中央農業試験場によるブライオゾーア化石の重金属検査
【図１】
健康消臭マット全体写真
【図２】
健康消臭マット拡大写真
【図１】
2005288118.tif 000010
【図２】
2005288118.tif 000011
【手続補正書】
【提出日】平成16年6月25日(2004.6.25)
【手続補正１】
【補正対象書類名】明細書
【補正対象項目名】全文
【補正方法】変更
【補正の内容】
【発明の詳細な説明】
【発明の詳細な説明】
【技術分野】
【０００１】  本発明は、寝たきり老人の床ずれや長時間の同一姿勢による血行障害の改善やそれに付随する汗疹防止と体臭除去を目的とした健康消臭マットに関する。
【背景技術】
【０００２】  遠赤外線効果やマイナスイオン効果によって手足の冷え防止と血行障害の緩和を主効果にした製品が数多くあるが、その効果を引き出すがため吸汗性セラミックスと遠赤外線セラミックスの組み合わせ、銅イオンやキトサンの含浸加工など、付加価値とともに加工コストも高価となり健康器具としては、普及しづらい製品価格となっている。また、包装劣化とともに避けられない廃棄処理にあたっては時流と逆行した製品が大半を占めている現状である。
【発明が解決しようとする課題】
【０００３】  従来の遠赤外線消臭マットでは、その資材自体が高価であり、かつ加工にコストのかかる資材を利用し、また、遠赤外線効果とマイナスイオン効果に傾向するがゆえに、消臭効果に対しては安定した効果を維持できずにいた。しかも使用後の廃棄処理にあたっても再利用性の低い資材を利用していた。
【課題を解決する手段】
【０００４】  本発明は、低温高圧型で生成されたブライオゾーア化石の持つ特徴を活かし、安定した遠赤外線効果と消臭効果を引き出し、それにマイナスイオン調整剤（トルマリン、松鉱石等）を配合調整することで天然資源を自然のまま利用する、低コストで再利用性の高い健康消臭マットを提供することである。
【０００５】  健康消臭マットの包装には和紙、または、不織布等を使用し包装劣化後は燃える一般ゴミとして処分できるように加工し、効能を引き出す粉体のブライオゾーア化石やマイナスイオン調整剤（トルマリン、松鉱石等）は、その一般的な利用方法である土壌改良剤として畑やプランタンの園芸土に混ぜて再利用する。
【０００６】  ブライオゾーア化石は、天然に存在し自然界に無害であることから取り扱いが簡便であり、当然のことながら自然界への影響は無く、安全性においては応用製品の医薬部外品利用や家畜飼料利用等で実証済みである。
【０００７】  ブライオゾーア化石は触手動物の一網、または、擬軟体動物の−網の独立した一門とみなされ、鮮虫類あるいは鮮苔虫類ともいう。一般的な貝化石とはまったく異質のものであり、ブライオゾーア化石の大きな特徴として、その構造はミクロポーラス構造であり、指で容易に剥離できる状態であるため粉体加工の簡便性が挙げられる。ブライオゾーア化石の成分を表１及び表２に示す。
【０００８】
【表１】
2005288118.tif 000012
2005288118.tif 000013
【０００９】
【表２】
2005288118.tif 000014
【００１０】  ブライオゾーア化石は自然に形成された多孔体であるため、表面積の大きな無機材料（メソポーラスシリカ、活性炭等）の表面特性及び細孔構造などから作用する同様の効果がある。また、ブライオゾーア化石の構造は、低温高圧型で生成されたことにより、多くの元素群（Ｃ，Ｃａ，Ｓｉ，Ａｌ，Ｆｅ，Ｏ等）をＣａＣＯ３，ＳｉＯ２，Ｆｅ２Ｏ３，Ａｌ２Ｏ３等の構造に再配置され、構造化された元素群の触媒効果を持ち、あるいは錯体と呼ばれ、他の物質を取り入れ変化し易いキレート状態となっている。
【００１１】  この為、気体吸着及び重金属類の吸着に効果を発揮する。特にカドミウム吸着量２３．５〜２７．０ｍｇ／ｇまたは水銀吸着量２０．０〜２４．０ｍｇ／ｇといった性能は、単なるイオン交換作用ではなく不溶物質として安定した性状で固定化する特性を持っている。これは溶液が炭酸カルシウムの作用によって方解石化（ＣａＣＯ３水和物）し、カドミウムを取り入れ固溶体として再結晶させているからである。
【００１２】  熱帯、亜熱帯の地表は、強い太陽熱、地下水、微生物の働きで化学的風化作用を著しく受け、Ｃａ，Ｍｇ，Ｋ等のアルカリ、アルカリ土類金属のイオンが溶脱し、Ａｌ，Ｆｅ，Ｔｉ等の溶脱に強いイオンのみ残る。これらのイオンは地下水中の水酸化物イオンと結合し、ギブサイト（水酸化アルミニウム）を作ることが知られているが、ブライオゾーアが化石となるまでには、これに類似した過程があったと推察される。
【００１３】  また、ブライオゾーア化石に含まれる生体由来の腐植酸であるフミン酸等の不溶性有機物は、ギブサイトと類似した重金属吸着特性を有する。さらに、ギブサイトがフミン酸と共存する場合には、重金属はいずれにも吸着されることが文献によって知られている。
【００１４】ブライオゾーア化石による遠赤外線放出試験を試験基準となる黒体との比較試験を行った結果、極めて良好な結果を得ることができた。黒体を１００％とするとブライオゾーア化石による遠赤外線放出量は９１．３６％に相当し、木炭類に匹敵する数値を得ることができた。
【００１５】
【表３】
2005288118.tif 000015
【００１６】
【表４】
2005288118.tif 000016
【００１７】
【表５】
2005288118.tif 000017
【００１８】  ブライオゾーア化石は、ミクロポーラス構造であり、キレート状態にある。表面吸着や可溶性の石灰を含む等、いくつかの反応しやすい状態にあり、空気中の水分等に接触することによって、あるいは摩擦や衝撃や温度等、エネルギーが補給されることによってマイナスイオンを発生する特徴を持っている。
【００１９】  また、ブライオゾーア化石には閉じた空間での消臭効果は活性炭同等の消臭力を持っていることが認められている。実験では、京極町終末処理場の汚泥に混入、養鶏場では鶏糞に混入して、その消臭効果を確認した。この効果は多孔体であるため、細孔構造の気体吸着効果とイオン交換による臭気物質吸着効果、あるいは物性を変化させるキレート効果によるものと考えられる。
【００２０】
【表６】
2005288118.tif 000018
【００２１】
【表７】
2005288118.tif 000019
【００２２】  北海道立中央農業試験場の分析によって、水銀、砒素、カドミウム、鉛は検出されていないことが確認されている。
【００２３】
【表８】
2005288118.tif 000020
【発明を実施するための最良の形態】
【００２４】  発明で一番重要なことは、ブライオゾーア化石を利用することで、天然無害の国内資源であるブライオゾーア化石を主剤とすることであり、その加工手順は、▲１▼露天掘りによる採掘、▲２▼乾燥炉にて１００℃以上３００℃以下で水分調整、▲３▼この時の乾燥工程でブライオゾーア化石の原単位である約１ｍｍの粉体化が完了、▲４▼これを１ｍｍメッシュのフィルターと粉塵用のバキュームで選分けし粉体加工が完了する。【００２５】  また、この実施形態におけるトップ粒度１ｍｍ以下のブライオゾーア化石にマイナスイオン調整剤（トルマリン、松鉱石等）を配合調整し、布又は紙に練り込んだもの、若しくは、布又は紙で挟み込み粉体が可動するように加工したものが健康消臭マットである。【００２６】  ブライオゾーア化石粉末が有する微量のマイナスイオン放出効果、木炭に匹敵する遠赤外線放出効果、そして多くの元素群（Ｃ，Ｃａ，Ｓｉ，Ａｌ，Ｆｅ，Ｏ等）をＣａＣＯ３，ＳｉＯ２，Ｆｅ２Ｏ３，Ａｌ２Ｏ３等の構造に再配置され、構造化された元素群の触媒効果を持ち、あるいは錯体と呼ばれ、他の物質を取り入れ変化し易いキレート効果によって汗や体臭の吸着抑制をするものである。
【実施例】  次に請求項１および請求項２による健康消臭マットを実際に使用して実験を行った結果を示す。【００２７】  健康消臭マットサンプルを１００枚製作し、定期的に薬剤の提供を受けている老人、または、寝たきりの老人を対象に通常使用しているベッド及び布団の下にサンプルマットを敷いてもらい３ヶ月間の聞き取り調査を行った。【００２８】  結果、ほとんどの体験者が手足の冷えに対する温熱効果を体感し、また、薬剤投与による体臭に関しても本人、及び介護に当あっている人間もその体臭の軽減を感じていた。特に温熱効果に関しては遠赤外線による発汗作用が十分に得ることができ、その汗の吸収作用も十分に確認できた。そのため発汗による体臭は完全にマットによって吸収され実用性を十分確認できる結果となった。【００２９】
【図１】
【００３０】
【図２】
【発明の効果】
【００３１】  ブライオゾーア化石粉末を主剤として利用することによって、安定した遠赤外線効果と消臭効果を引き出し、それにマイナスイオン調整剤（トルマリン、松鉱石等）を配合調整することで天然資源を自然のまま利用する、低コストで再利用性の高い健康消臭マットを提供することができる。その効果の持続性においても３ヶ月以上安定した効果を維持し、包装次第ではより長期間の使用に対応がきき、単位使用日数当りコストとしては非常に低コストの健康消臭マットが提供できるものである。したがって、従来の遠赤外線消臭マットと比較して経済効率とリサイクル性の両面で効果があるものである。
【図面の簡単な説明】
【図１】健康消臭マット全体写真
【図２】健康消臭マット拡大写真
【手続補正２】
【補正対象書類名】特許請求の範囲
【補正対象項目名】全文
【補正方法】変更
【補正の内容】
【書類名】特許請求の範囲
【請求項１】
採掘したブライオゾーア化石塊を各種粒度に乾燥粉体加工したものとマイナスイオン調整剤（トルマリン、松鉱石等）を配合調整し、布又は紙に練り込んだ健康消臭マット。
【請求項２】
採掘したブライオゾーア化石塊を各種粒度に乾燥粉体加工したものとマイナスイオン調整剤（トルマリン、松鉱石等）を配合調整し、布又は紙で挟み込み粉体が可動する健康消臭マット。
【請求項３】
健康消臭マットにおいて、ブライオゾーア化石の乾燥粉末を含有することを特徴とするマット。